(57)【要約】【課題】  表示装置の保護パネルより外側の縁を狭くすることが可能であり、優れた外観品位を有する表示装置を提供する。【解決手段】  回路基板３０は、表示素子１０を制御する制御素子３４を有する。ケース部材４０は、表示素子１０及び回路基板３０を収容する。ケース部材４０は、表示素子１０の前面に配設された保護パネル４１と、保護パネル４１に接着層４２ａを介して接合されるケース体４２とを有する。保護パネル４１とケース体４２との接合を強化する保護パネル固定部４１ｃを更に備える。【選択図】  図２
2016138975.tif 000002
【特許請求の範囲】
【請求項１】
表示素子と、前記表示素子を制御する制御素子を有する回路基板と、前記表示素子及び前記回路基板を収容するケース部材と、を備え、前記ケース部材は、前記表示素子の前面に配設された保護パネルと、前記保護パネルの外周全体に接着層を介して接合されるケース体と、を有する表示装置であって、前記保護パネルの後面に固定することにより前記保護パネルと前記ケース体との接合を強化する保護パネル固定部を更に備えたことを特徴とする表示装置。
【請求項２】
表示素子と、前記表示素子を制御する制御素子を有する回路基板と、前記表示素子及び前記回路基板を収容するケース部材と、を備え、前記ケース部材は、前記表示素子の前面に配設された保護パネルと、前記保護パネルの外周全体に接着層を介して接合されるケース体と、を有する表示装置であって、前記ケース体は、前記保護パネルの前面を係止することにより前記保護パネルと前記ケース体との接合を強化する保護パネル固定部を有することを特徴とする表示装置。
【請求項３】
前記接着層が、気密性及び水密性を備えた弾性樹脂であることを特徴とする請求項１または請求項２に記載の表示装置。
【請求項４】
前記表示素子は、透光性接着剤を介して前記保護パネルの後面に固定されていることを特徴とする請求項１乃至請求項３のいずれか１項に記載の表示装置。
【請求項５】
前記表示素子に隣接して保護パネル後面に配置され、加飾照明または警告灯表示を行う点灯部を備えてなることを特徴とする請求項１乃至請求項４のいずれか１項に記載の表示装置。
【発明の詳細な説明】
【技術分野】
【０００１】
本発明は、表示素子を備えた表示装置に関するものである。
【背景技術】
【０００２】
従来より、液晶表示素子を備えた表示装置が種々提案されており、例えば特許文献１に開示されている。斯かる表示装置は、液晶表示モジュールと保護パネルが透光性接着剤で接着され液晶表示パネルモジュールとして一体化され、筐体に着脱自在に取り付けられたロの字形状の平板部材である支持部材と螺子によって液晶表示パネルモジュールと筐体を固定することにより、保護パネルの取付面に発生する応力を保護パネル自身の変形により吸収するものである。保護パネルの取付面は両面テープにより筐体開口の周縁部に接着されており、接着部分を補強するため更に筐体開口の周縁部と支持部材で保護パネルの取付面を挟持した状態で螺子締めされ固定されている。
【先行技術文献】
【特許文献】
【０００３】
【特許文献１】特開２０１０−３２６５３号公報（図１４，図１５）
【発明の概要】
【発明が解決しようとする課題】
【０００４】
しかしながら、特許文献１に記載の表示装置においては、保護パネルと筐体の固定を強化する支持部材に保護パネルの外周を固定し、支持部材を筐体に螺子留めする構造であり、保護パネル外周より外側の筐体内不可視領域に螺子留め部を配置するため、表示装置の額縁が螺子留め部の分、広くなってしまうため、外観品位の点で改善の余地があった。
【０００５】
本発明は、表示装置の保護パネルより外側の縁を狭くすることが可能であり、優れた外観品位を有する表示装置を提供するものである。
【課題を解決するための手段】
【０００６】
本発明は、表示素子１０と、前記表示素子１０を制御する制御素子３４を有する回路基板３０と、前記表示素子１０及び前記回路基板３０を収容するケース部材４０と、を備え、前記ケース部材４０は、前記表示素子１０の前面に配設された保護パネル４１と、前記保護パネル４１の外周全体に接着層４２ａを介して接合されるケース体４２と、を有する表示装置であって、前記保護パネル４１の後面に固定することにより前記保護パネル４１と前記ケース体４２との接合を強化する保護パネル固定部４１ｃを更に備えたことを特徴とする。
【０００７】
また、本発明は、表示素子１０と、前記表示素子１０を制御する制御素子３４を有する回路基板３０と、前記表示素子１０及び前記回路基板３０を収容するケース部材４０と、を備え、前記ケース部材４０は、前記表示素子１０の前面に配設された保護パネル４１と、前記保護パネル４１の外周全体に接着層４２ａを介して接合されるケース体４２と、を有する表示装置であって、前記ケース体４２は、前記保護パネル４１の前面を係止することにより前記保護パネル４１と前記ケース体４２との接合を強化する保護パネル固定部４２ｂを有することを特徴とする。
【０００８】
また、本発明は、前記接着層４２ａが、気密性及び水密性を備えた弾性樹脂であることを特徴とする。
【０００９】
また、本発明は、前記表示素子１０は、透光性接着剤４１ｂを介して前記保護パネル４１の後面に固定されていることを特徴とする。
【００１０】
また、本発明は、前記表示素子１０に隣接して保護パネル４１後面に配置され、加飾照明または警告灯表示を行う点灯部２０を備えてなることを特徴とする。
【発明の効果】
【００１１】
保護パネルの後面に固定された保護パネル固定部、若しくは、保護パネルの前面を係止する保護パネル固定部を設けることで表示装置として必要な接合強度を確保することができ、保護パネルの外周全体を固定する必要が無いため、表示装置の保護パネルより外側の縁を狭くすることができる。
【図面の簡単な説明】
【００１２】
【図１】本発明の第一実施形態を示す表示装置の主要前面図
【図２】第一実施形態を示すＡ−Ａ断面図
【図３】第一実施形態を示すＢ−Ｂ断面図
【図４】表示装置のシステム構成を示すブロック図
【図５】本発明の第二実施形態を示す表示装置の主要前面図
【図６】第二実施形態を示すＣ−Ｃ断面図
【発明を実施するための形態】
【００１３】
以下、添付図面に基づいて、本発明の一実施形態を説明する。
【００１４】
（第一実施形態）本発明の第１実施形態を図１〜図３に基づいて説明する。表示装置１は、液晶表示素子１０と、点灯部２０と、回路基板３０と、ケース部材４０と、導光体５０と中ケース６０で主に構成され、自動車，オートバイ，農業機械，建設機械，船舶等の表示装置として用いられる。
【００１５】
液晶表示素子１０は、透明電極が形成された一対のガラス基板に液晶を封入した液晶セルの前後両面に偏光板を貼付した液晶パネルからなるものである。液晶表示素子１０と回路基板３０とは、ＦＰＣ（Flexible Printed Circuit）等の配線部材７０によって電気的に接続される。回路基板３０には外部コネクタが実装されており、この外部コネクタによって表示装置１が車両と電気的に接続される。回路基板３０には、第一，第二の発光素子３１，３２が搭載されている。第一の発光素子３１は、発光ダイオードからなるものであり、液晶表示素子１０を透過照明する第一の照明光を発する。第二の発光素子３２は、発光ダイオードからなるものであり、点灯部２０を光輝させる第二の照明光を発する。
【００１６】
導光体５０は、アクリル若しくはポリカーボネート等の透明樹脂からなるものであり、受光部５１と導光部５２とから構成される。中ケース６０は、ポリプロピレン等の白色樹脂を適用することができる。中ケース６０の上部には、導光体５０の導光部５２，液晶表示素子１０が順次載置されている。導光体５０は、中ケース６０に固定されている。導光体５０は、第一の発光素子３１が発した第一の照明光を受光部５１により受光し、導光部５２により液晶表示素子１０の背面に導く。導光体５０の背面に導かれた第一の照明光は、中ケース６０により反射され、液晶表示素子１０を透過照明する。中ケース６０は保護パネル４１に固定される。中ケース６０の下部には、回路基板３０が固定される。
【００１７】
点灯部２０は、警告灯表示部または加飾照明部として用いられる。中ケース６０に設けた導光部６１は、第一の照明光と干渉しないよう円柱状又は角柱状に形成された照明室であり、第二の発光素子３２が発した第二の照明光を点灯部２０の背面に導く。導光部６１及び第二の発光素子３２は複数形成されていても良い。
【００１８】
ケース部材４０は、保護パネル４１と上ケース４２と下ケース４３で構成される。保護パネル４１には、透光性の無機ガラスを適用することができ、前面に指標部を備えていても良い。液晶表示素子１０は無色透明で接着作用を持つ透光性接着剤４１ｂを介して保護パネル４１の後面にオプティカルボンディングにより固定される。透光性接着剤４１ｂは、界面反射を抑えるために、硬化後に保護パネル４１の屈折率と同等の屈折率となるものが用いられる。保護パネル４１後面の、表示素子１０が固定または点灯部２０が設けられた以外の箇所には、光を透過しない遮光層４１ａが設けられており、液晶表示素子１０及び点灯部２０による表示以外は保護パネル４１の前面から視認できなくなっている。遮光層４１ａは黒色インクの３層構造である。また、遮光層４１ａの代わりに意匠を配置しても良い。
【００１９】
上ケース４２は合成樹脂材を適用することができ、前面及び後面で開口している。上ケース４２の前面開口部の内寸は、保護パネル４１の外寸と同等である。保護パネル４１後面の、上ケース４２の内側四隅に該当する箇所に、接着層４２ａよりも強固な接着力を有する図示しない接着剤又は両面テープ等によって保護パネル固定部４１ｃが固定される。保護パネル４１は上ケース４２の前面開口部から差し込まれ、硬化後気密性及び水密性を備えた弾性樹脂となる接着剤からなる接着層４２ａによって全周が上ケース４２に固定される。保護パネル固定部４１ｃの後面は回路基板３０と接し、保護パネル固定部４１ｃ，回路基板３０，下ケース４３は螺子８０によって螺子締めされる。
【００２０】
下ケース４３は、合成樹脂材を適用することができ、前面を開口し、上ケース４２の後面に固定される。上下ケース４２，４３の内部に生じる空洞部分に、上ケース４２に固定された液晶表示素子１０，中ケース６０，回路基板３０が格納される。上ケース４２と下ケース４３の接合面には溝が設けられ、溝にパッキン部材が挟持され、上下ケース４２，４３が螺子締めされる。
【００２１】
次に、図４に基づいて、表示装置１の電気的構成を説明する。表示装置１は、回路基板３０上のインタフェース回路３３を介して、電源や車両情報に関する信号等を車載ＬＡＮから入力して、これらの信号等に基づいて、制御素子３４により処理を行う。制御素子３４は、表示駆動回路３５によって液晶表示素子１０を駆動させる。また、制御素子３４は、第一，第二の照明駆動回路３６，３７によって第一，第二の発光素子３１，３２を駆動させる。
【００２２】
（第２実施形態）次に、本発明の第２実施形態を図５，図６に基づいて説明するが、前述の第１実施形態と同一もしくは相当個所には同一の符号を用いてその詳細な説明は省略する。この第２実施形態が、前記第１実施形態と異なる点は、保護パネル４１の後面に設けられる保護パネル固定部４１ｃの代わりに、上ケース４２の前面開口部に、上ケース４２の内側に向けて傾斜する傾斜面４２ｃを有する保護パネル固定部４２ｂを設けた点にある。保護パネル固定部４２ｂは、弾性係止片からなるものであり、保護パネル４１の前面を係止する。
【００２３】
上ケース４２は合成樹脂材を適用することができ、前面及び後面で開口している。上ケース４２の前面開口部には、保護パネル固定部４２ｂが設けられている。保護パネル４１は上ケース４２の前面開口部上面から差し込まれ、保護パネル固定部４２ｂを通過し、硬化後気密性及び水密性を備えた弾性樹脂となる接着剤からなる接着層４２ａによって全周が上ケース４２に固定される。保護パネル固定部４２ｂは、保護パネル４１が差し込まれた際に弾性変形し、保護パネル４１が通過した後元の形状に戻り、保護パネル４１の前面端部を圧迫する。
【００２４】
このような構成によって、接着層４２ａに対して均一な圧縮応力を生じさせることができ、表示装置を気密性及び水密性に適した構造にすることができる。
また、保護パネル４１を上ケース４２で固定し、保護パネル４１とケース体４０との接合を強化する保護パネル固定部４１ｃ，４２ｂをデザイン上設けられている保護パネル４１の後面の遮光層４１ａまたは上ケース４２前面開口部に設けることで、接着層４２ａの接着幅が比較的狭くても、表示装置として必要な強度を確保することができ、表示装置の額縁は保護パネル４１とケース体４０のみで決まるため、保護パネル固定部４１ｃ，４２ｂを有しながら、表示装置の保護パネル４１より外側の縁を狭くすることできる。
【００２５】
したがって、外部からの衝撃に強く、優れた外観品位を有する表示装置を提供することができる。
【００２６】
なお、本発明は、上述した実施形態に限定されるものではなく、種々の変形が可能である。例えば、表示素子１０は液晶表示素子であったが、有機ＥＬ等の自発光型の表示素子も適用できる。液晶表示素子１０の偏光板表面に、光沢処理，反射防止処理，傷防止処理，紫外線劣化防止処理等が施されていても良い。保護パネル４１は無機ガラスであったが、透光性樹脂も適用できる。保護パネル４１の前面に反射防止，防汚，帯電防止，赤外線防止等の機能を有するコーティングが施され、または前記機能を有するフィルム等が貼り付けられても良い。また、上下ケース４２，４３は螺子締めではなく、上下ケース４２，４３に設けたフック等によって固定されても良い。
【符号の説明】
【００２７】
１０    液晶表示素子（表示素子）
２０    点灯部
３０    回路基板
３１    第一の発光素子
３２    第二の発光素子
３３    インタフェース回路
３４    制御素子
３５    表示駆動回路
３６    第一の照明駆動回路
３７    第二の照明駆動回路
４０    ケース部材
４１    保護パネル
４１ａ  遮光層
４１ｂ  透光性接着剤
４１ｃ  保護パネル固定部
４２    上ケース（ケース体）
４２ａ  接着層
４２ｂ  保護パネル固定部
４２ｃ  傾斜面
４３    下ケース
５０    導光体
５１    受光部
５２    導光部
６０    中ケース
６１    導光部
７０    配線部材
８０    螺子
【図１】
2016138975.tif 000003
【図２】
2016138975.tif 000004
【図３】
2016138975.tif 000005
【図４】
2016138975.tif 000006
【図５】
2016138975.tif 000007
【図６】
2016138975.tif 000008